(57)【要約】【課題】早朝に湯を多く消費する使用パターンのユーザーの場合、昼間の沸き増しが多くなり、ランニングコストが増加してしまう。【解決手段】湯水を貯湯する貯湯タンク３と、この貯湯タンク３内の湯水を加熱して沸き上げる加熱手段４と、前記貯湯タンク３に給水する給水管６と、前記貯湯タンク３から給湯する給湯管１０と、前記貯湯タンク３内の湯または熱の使用量から深夜時間帯に沸き上げる量を決定し、深夜時間帯の終了時刻ｔ２より余裕時間Ｙ前の所定時刻ｔ３に深夜時間帯に沸き上げる量を沸き上げ完了するための沸き上げ開始時刻ｔｐｓを演算するピークシフト演算手段５８とを備えたものにおいて、前記余裕時間Ｙを長く変更する朝方モードを設定する朝方モード設定手段５７を設けた。【選択図】図２
2015102259.tif 000002
【特許請求の範囲】
【請求項１】
湯水を貯湯する貯湯タンクと、この貯湯タンク内の湯水を加熱して沸き上げる加熱手段と、前記貯湯タンクに給水する給水管と、前記貯湯タンクから給湯する給湯管と、前記貯湯タンク内の湯または熱の使用量から深夜時間帯に沸き上げる量を決定し、深夜時間帯の終了時刻より余裕時間前の所定時刻に深夜時間帯に沸き上げる量を沸き上げ完了するための沸き上げ開始時刻を演算するピークシフト演算手段とを備えたものにおいて、前記余裕時間を長く変更する朝方モードを設定する朝方モード設定手段を設けたことを特徴とする貯湯式給湯装置。
【請求項２】
前記朝方モード設定手段は、前記貯湯式給湯装置のリモートコントローラの所定操作によって所定時間単位で前記余裕時間を変更可能としたことを特徴とする請求項１記載の貯湯式給湯装置。
【請求項３】
前記朝方モード設定手段は、予め設定入力されている設置地域情報と、日照センサからの日照開始時刻情報と、給水温度に基づいた給水温度情報と、外気温度に基づいた外気温度情報と、カレンダー機能に基づいた日付情報のいずれか一つまたはいずれか二つ以上の組み合わせの情報に基づいて前記余裕時間を決定することを特徴とする請求項１記載の貯湯式給湯装置。
【請求項４】
前記朝方モード設定手段は、前日の前記所定時刻までに沸き上げ完了することができなかった場合に、前記余裕時間を長くするようにしたことを特徴とした請求項１記載の貯湯式給湯装置。
【請求項５】
前記朝方モード設定手段は、前日までの所定期間の深夜時間帯の終了時刻直前の所定時間帯の、前記貯湯タンク内の湯または熱の使用量に応じて前記余裕時間を決定することを特徴とする請求項１記載の貯湯式給湯装置。
【請求項６】
前記朝方モード設定手段は、前記リモートコントローラの所定操作がされることで前記朝方モードの設定／解除を可能としたことを特徴とする請求項１〜５のいずれか一項に記載の貯湯式給湯装置。
【発明の詳細な説明】
【技術分野】
【０００１】
本発明は、深夜時間帯に貯湯タンク内の湯水を沸き上げて貯湯しておく貯湯式給湯装置に関する。
【背景技術】
【０００２】
従来よりこの種の貯湯式給湯装置では、湯水を貯湯する貯湯タンクと、この貯湯タンク内の湯水を加熱して沸き上げる加熱手段と、前記貯湯タンクに給水する給水管と、前記貯湯タンクから給湯する給湯管と、前記貯湯タンク内の湯または熱の使用量から深夜時間帯に沸き上げる量を決定し、深夜時間帯の終了時刻以前の所定時刻に深夜時間帯に沸き上げる量を沸き上げ完了するための沸き上げ開始時刻を演算するピークシフト演算手段とを備え、深夜時間帯の終了と同時に沸き上げ運転が停止されるものであった。
【先行技術文献】
【特許文献】
【０００３】
【特許文献１】特開２００７−２８５６５９号公報
【発明の概要】
【発明が解決しようとする課題】
【０００４】
このような従来のものでは、早朝に湯を多く消費する使用パターンのユーザーの場合、深夜時間帯の終了前かつ早朝等の沸き上げ中に多量に湯を消費すると、昼間の沸き増しが多くなり、ランニングコストが増加してしまうという課題があった。
【課題を解決するための手段】
【０００５】
そこで、本発明は上記課題を解決するため、湯水を貯湯する貯湯タンクと、この貯湯タンク内の湯水を加熱して沸き上げる加熱手段と、前記貯湯タンクに給水する給水管と、前記貯湯タンクから給湯する給湯管と、前記貯湯タンク内の湯または熱の使用量から深夜時間帯に沸き上げる量を決定し、深夜時間帯の終了時刻より余裕時間前の所定時刻に深夜時間帯に沸き上げる量を沸き上げ完了するための沸き上げ開始時刻を演算するピークシフト演算手段とを備えたものにおいて、前記余裕時間を長く変更する朝方モードを設定する朝方モード設定手段を設けたので、早朝に湯を多く消費する使用パターンのユーザーであっても、湯を使用開始する前に沸き上げを完了させることができ、電気料金の高い昼間の沸き増しを不要あるいは抑制することができる。
【０００６】
また、前記朝方モード設定手段は、前記貯湯式給湯装置のリモートコントローラの所定操作によって所定時間単位で前記余裕時間を変更可能としたことで、ユーザーが望む時刻までに沸き上げを完了させることができ、利便性が向上する。
【０００７】
また、前記朝方モード設定手段は、予め設定入力されている設置地域情報と、日照センサからの日照開始時刻情報と、給水温度に基づいた給水温度情報と、外気温度に基づいた外気温度情報と、カレンダー機能に基づいた日付情報のいずれか一つまたはいずれか二つ以上の組み合わせの情報に基づいて前記余裕時間を決定するため、日の出と共に活動を行うような家庭（農家など）において、適切な時刻に沸き上げを完了させることができ、利便性が向上する。
【０００８】
また、前記朝方モード設定手段は、前日の前記所定時刻までに沸き上げ完了することができなかった場合に、前記余裕時間を長くするようにしたので、沸き上げ完了前の早朝時間帯に給湯されたことによって沸き上げが完了しなかったような場合に、翌日には沸き上げを完了させる所定時刻が早まり、適切な所定時刻を定めることができ、無駄に所定時刻を早めすぎることがなく、貯湯タンクからの放熱ロスも最小限とすることができる。
【０００９】
また、前記朝方モード設定手段は、前日までの所定期間の深夜時間帯の終了時刻直前の所定時間帯の、前記貯湯タンク内の湯または熱の使用量に応じて前記余裕時間を決定するで、沸き上げ完了前の早朝時間帯の給湯量等の使用量に応じて余裕時間が決定され、適切な所定時刻を定めることができ、無駄に所定時刻を早めすぎることがなく、貯湯タンクからの放熱ロスも最小限とすることができる。
【００１０】
また、前記朝方モード設定手段は、前記リモートコントローラのの所定操作がされることで前記朝方モードの設定／解除を可能としたことで、リモコンから容易に朝方モードを設定することが可能となる。
【発明の効果】
【００１１】
以上のように本発明によれば、早朝に湯を多く消費する使用パターンのユーザーであっても、湯を使用開始する前に沸き上げを完了させることができ、電気料金の高い昼間の沸き増しを不要あるいは抑制することができる。
【図面の簡単な説明】
【００１２】
【図１】本発明の第１の実施形態の概略構成図
【図２】同第１の実施形態のピークシフト演算手段のブロック構成図
【図３】同第１の実施形態の作動を説明するためのフローチャート図
【図４】同第２の実施形態のピークシフト演算手段のブロック構成図
【図５】同第２の実施形態の余裕時間を決定する方法の一例を説明するための図
【図６】同第３の実施形態のピークシフト演算手段のブロック構成図
【図７】同第４の実施形態のピークシフト演算手段のブロック構成図
【発明を実施するための形態】
【００１３】
次に、本発明の第１の実施形態のヒートポンプ貯湯式給湯装置１を図面に基づいて説明する。
２は湯水を貯湯するステンレス製の貯湯タンク３を有した貯湯タンクユニット、４は貯湯タンク３内の湯水を主に深夜時間帯等の深夜時間帯に沸き上げる加熱手段としてのヒートポンプユニット、５は給湯設定温度を変更する等の操作を行うためのリモートコントローラである。
【００１４】
貯湯タンクユニット２には、貯湯タンク３底部に市水を給水する給水管６と、貯湯タンク３上部から出湯する出湯管７と、給水管６から分岐された給水バイパス管８と、出湯管７からの湯水と給水バイパス管８からの水とを給湯設定温度になるように混合する給湯混合弁９と、給湯混合弁９で混合された湯が流通する給湯管１０と、給湯管１０途中に設けられ給湯温度を検出する給湯温度センサ１１と、給湯管１０途中に設けられ給湯流量を検出する給湯流量センサ１２と、給水バイパス管８途中に設けられ給水温度を検出する給水温度センサ１３と、貯湯タンク２の側面上下に複数設けられてそれぞれ貯湯温度を検出する貯湯温度センサ１４と、給水管６に設けられ市水の給水圧を一定の圧力に減圧する減圧弁１５と、貯湯タンク２内の過圧を逃がす過圧逃がし弁１６と、ヒートポンプユニット４で加熱するため貯湯タンク２底部から取り出した湯水を流通させる加熱往き管１７と、ヒートポンプユニット４で加熱された湯水を貯湯タンク２上部へ戻すために流通させる加熱戻り管１８とが設けられている。
【００１５】
また、貯湯タンクユニット２には、貯湯タンク２内の湯の熱で浴槽１９からの浴水を加熱するための風呂熱交換器２０と、浴槽１９と風呂熱交換器２０とを浴水が循環可能に接続する風呂循環回路２１と、風呂循環回路２１途中に設けられ浴水を循環させる風呂循環ポンプ２２と、風呂循環回路２１を風呂熱交換器２０をバイパスして接続する熱交バイパス管２３と、浴槽１９からの浴水を風呂熱交換器２０側へ流すか熱交バイパス管２３側へ流すかを切り替える三方弁２４と、浴槽１９から風呂熱交換器２０へ流れる浴水の温度を検出する風呂温度センサ２５と、風呂循環回路２１の浴水の循環の有無を検知する流水スイッチ２６と、浴槽１９内の水位を検出するための水位センサ２７とが設けられている。
【００１６】
さらに、貯湯タンクユニット２には、給湯管１０から分岐されて風呂循環回路２１途中に接続される湯はり管２８と、湯はり管２７途中に設けられ湯はり流量を検出する湯はり流量センサ２９と、湯はり管２８途中に設けられ湯はり温度を検出する湯はり温度センサ３０と、湯はり管２８途中に設けられた電磁弁よりなる湯はり開閉弁３１と、湯はり開閉弁３１の下流に設けられ、湯はり開閉弁３１上流側の給水圧よりも浴槽１９からの逆流圧が高いときに浴水を外部に排水するホッパー弁３２とが設けられている。
【００１７】
ヒートポンプユニット４には、冷媒を圧縮する圧縮機３３と、圧縮された高温冷媒と貯湯タンク３からの湯水とを熱交換する冷媒水熱交換器３４と、冷媒水熱交換器３４で放熱された冷媒を減圧する膨張弁３５と、低温低圧の冷媒を蒸発する蒸発器３６と、圧縮機３３、冷媒水熱交換器３４、膨張弁３５、蒸発器３６を環状に接続した冷凍サイクル配管３７と、蒸発器３６に熱源となる外気を送風する送風機３８と、外気温度を検出する外気温度センサ３９と、冷媒水熱交換器３４の水側に貯湯タンク３からの湯水を供給する加熱循環ポンプ４０と、加熱往き管１６から冷媒水熱交換器３４に流入する湯水の温度を検出する入水温度センサ４１と、冷媒水熱交換器３４から加熱戻り管１７へ流出する湯水の温度を検出する沸き上げ温度センサ４２とが設けられている。
【００１８】
リモートコントローラ５には、給湯機に関する各種の情報（給湯設定温度、風呂設定温度、風呂設定湯量、残湯量、給湯機の作動状態等）を表示する表示部４３と、給湯設定温度および風呂設定温度あるいは風呂設定湯量を設定操作するための設定スイッチ４４と、浴槽１９へ風呂設定湯量の湯はりを指示する湯はりスイッチ４５等の複数の操作スイッチ４６とが設けられている。
【００１９】
４７は貯湯タンクユニット２内に設けられ、給湯温度センサ１１、給湯流量センサ１２、給水温度センサ１３、貯湯温度センサ１４、風呂温度センサ２５、流水スイッチ２６、水位センサ２７、湯はり流量センサ２９、湯はり温度センサ３０の検出値が入力され、給湯混合弁９、風呂循環ポンプ２２、三方弁２４、湯はり開閉弁３１の作動を制御すると共に、ヒートポンプユニット４およびリモートコントローラ５と必要な情報を送受信可能に接続された貯湯制御手段である。ここで、貯湯制御手段４７は、ＭＰＵ等の論理回路を有してメモリを参照しつつ予め記憶されているプログラムに従って作動を制御するものである。
【００２０】
４８はヒートポンプユニット４内に設けられ、外気温度センサ３９、入水温度センサ４１、沸き上げ温度センサ４２の検出値が入力され、圧縮機３３、膨張弁３５、送風機３８、加熱循環ポンプ４０の作動を制御すると共に、貯湯制御手段４７と必要な情報を送受信可能に接続された加熱制御手段である。ここで、加熱制御手段４８は、ＭＰＵ等の論理回路を有してメモリを参照しつつ予め記憶されているプログラムに従って作動を制御するものである。
【００２１】
４９はリモートコントローラ５内に設けられ、操作スイッチ４６の操作信号や貯湯制御手段４７からの信号を受け、表示部４３に予め定められた必要な表示を行わせると共に、貯湯制御手段４７に操作信号に基づく信号を送信するリモコン制御手段である。ここで、リモコン制御手段４９は、ＭＰＵ等の論理回路を有してメモリを参照しつつ予め記憶されているプログラムに従って作動を制御するものである。
【００２２】
ここで、貯湯制御手段４７と加熱制御手段４８とリモコン制御手段４９は互いに必要な情報を授受して、互いに連携してヒートポンプ貯湯式給湯機１の作動を制御する制御手段として振る舞うものである。
【００２３】
図３は、貯湯制御手段４７の要部の制御ブロック図で、５１は深夜時間帯（長さＸ）の開始時刻ｔ１と終了時刻ｔ２を設定する深夜時間帯設定手段で、深夜時間帯設定手段５１は予め複数の電力会社の電力料金制度に対応した深夜時間帯Ｘの開始時刻ｔ１とｔ２が複数セット記憶されており、ユーザーが選択した電力料金制度に応じた深夜時間帯Ｘが設置業者によって設定されるものである。
【００２４】
５２は給湯流量センサ１２で検出する給湯流量や湯はり流量センサ２８で検出する湯はり流量等の情報に基づいて一日分の給湯等の使用熱量Ｑを算出して複数日分記憶する使用熱量記憶手段である。使用熱量Ｑは、常時給湯流量センサ１２および湯はり流量センサ２９の出力を監視し、給湯設定温度と給水温度と給湯流量および風呂設定温度と給水温度と湯はり流量とからそれぞれ給湯の使用熱量と湯はりの使用熱量を算出し加算することで算出するもので、これにさらに風呂熱交換器２０で浴槽水の加熱に消費された熱量の概算分を加算するようにしてもよい。
【００２５】
５３は予め設定されている貯湯タンク１の有効容量Ｖから、貯湯温度センサ１３で検出する沸き上げ可能な上限温度以上の残湯量Ｖｚを減算して貯湯タンク１内に沸き上げる容量（沸き上げ必要量Ｖｎ）を算出する沸き上げ必要量算出手段である。
【００２６】
５４は使用熱量記憶手段５２で記憶している過去複数日分の使用熱量Ｑ等からヒートポンプユニット３０で沸き上げる湯の温度（沸き上げ目標温度Ｔｓ）を決定する沸き上げ目標温度決定手段である。
【００２７】
５５は沸き上げ必要量算出手段５３で算出された沸き上げ必要量Ｖｎを沸き上げ目標温度決定手段５４で決定した沸き上げ目標温度Ｔｓに沸き上げるのに必要な時間（必要沸き上げ時間Ｈ）を、ヒートポンプユニット３０の定格加熱能力Ｗと給水温度Ｔｗを用いて算出する沸き上げ必要時間算出手段である。
【００２８】
５６は深夜時間帯設定手段５１の深夜時間帯Ｘの情報ｔ１、ｔ２と、沸き上げ必要時間算出手段５６の必要沸き上げ時間Ｈの情報とに基づき、沸き上げ運転の開始時刻（沸き上げ開始時刻ｔｐｓ）を決定する沸き上げ開始時刻設定手段で、深夜時間帯Ｘの終了時刻の余裕時間Ｙ（ここでは３０分間）前の所定時刻ｔ３から必要沸き上げ時間Ｈだけ遡った時刻を沸き上げ開始時刻ｔｐｓとするものである。
【００２９】
５７は本発明の特徴的構成である朝方モード設定手段で、余裕時間Ｙを大きな値に変更して沸き上げ運転の終了時刻を早める朝方モードを設定するもので、ここではリモートコントローラ５の所定操作によって余裕時間Ｙを初期値（ここでは３０分）から所定時間単位（ここでは３０分単位）で上限時間（ここでは３時間または午前４時）までの範囲で変更可能としており、余裕時間Ｙが初期値に設定されると朝方モードが解除されるようにしている。
【００３０】
これら深夜時間帯設定手段５１、使用熱量記憶手段５２、沸き上げ必要量算出手段５３、沸き上げ目標温度決定手段５４、沸き上げ必要時間算出手段５５、沸き上げ開始時刻決定手段５６、朝方モード設定手段５７で沸き上げ開始時刻ｔｐｓを演算するピークシフト演算手段を構成しているものである。
【００３１】
そして、貯湯制御手段４７は、現在時刻が沸き上げ開始時刻決定手段５６で決定した沸き上げ開始時刻ｔｐｓになると、沸き上げ運転を開始すべく加熱制御手段４８に対して駆動指令を出力するようにしているものである。
【００３２】
次に、本発明の沸き上げ動作時の作動を図３のフローチャート図に基づいて説明する。
まず深夜時間帯Ｘの開始時刻ｔ１が到来すると（ステップＳ１でＹｅｓ）、貯湯制御手段４７は全ての貯湯温度センサ１４の検出温度を確認し、沸き上げ可能な上限温度以上の残湯量Ｖｚを算出し（ステップＳ２）、沸き上げ必要量算出手段５４にて予め記憶されている貯湯タンク１の有効容量Ｖから残湯量Ｖｚを減算して沸き上げ必要量Ｖｎを算出する（ステップＳ３）。
【００３３】
次に沸き上げ目標温度決定手段５５にて使用熱量記憶手段５３で記憶されている過去複数日分の使用熱量Ｑに基づいて沸き上げ目標温度Ｔｓを決定する（ステップＳ４）。ここでは沸き上げ目標温度決定手段５５は使用熱量Ｑに基づいて沸き上げ目標温度Ｔｓを決定するためのデータテーブルが予め記憶されており、使用熱量Ｑが多いほど沸き上げ目標温度Ｔｓは高い温度に決定されるようにしている。なお、沸き上げ目標温度Ｔｓの決定に際して、外気温度センサ３９で検出する外気温度が低いほど沸き上げ目標温度Ｔｓを高い温度となるように補正するようにしてもよいものである。
【００３４】
そして沸き上げ必要時間算出手段５６にて、沸き上げ必要量Ｖｎに沸き上げ目標温度Ｔｓから給水温度センサ１３で検出していた最低給水温度Ｔｗを減算した値を、予め記憶されているヒートポンプユニット３の定格加熱能力Ｗで除算して、沸き上げ必要量Ｖｎの湯水を沸き上げ目標温度Ｔｓまで沸き上げるのに必要な時間（必要沸き上げ時間Ｈ）を算出する（ステップＳ５）。
【００３５】
次に朝方モード設定手段５７によって余裕時間Ｙが初期値以外の値に変更されているかどうかを確認し（ステップＳ６）、沸き上げ開始時刻決定手段５６は、確認した余裕時間Ｙだけ深夜時間帯Ｘの終了時刻から遡った所定時刻ｔ３から、必要沸き上げ時間Ｈだけ遡った時刻を沸き上げ開始時刻ｔｐｓとする（ステップＳ７）。
【００３６】
そして、貯湯制御手段４７は現在時刻が沸き上げ開始時刻決定手段５６で決定した沸き上げ開始時刻ｔｐｓとなると（ステップＳ８でＹｅｓ）、加熱制御手段４８に対して沸き上げ運転の開始指示を出力し、加熱制御手段４８は圧縮機３３や膨張弁３５、送風機３８を駆動してヒートポンプサイクルによる沸き上げ運転を開始する（ステップＳ９）。
【００３７】
貯湯タンク１最下部の貯湯温度センサ１４が所定の沸き上げ終了温度以上を検出すると、沸き上げが終了したと判断して（ステップＳ１０でＹｅｓ）、貯湯制御手段４７は沸き上げ運転の停止指示を加熱制御手段４８に対して出力し、加熱制御手段４８は圧縮機３３や膨張弁３５、送風機３８を駆動停止処理してヒートポンプサイクルによる沸き上げ運転を停止する（ステップＳ１１）。
【００３８】
なお、沸き上げが終了する前に沸き上げを完了させる予定の時刻である所定時刻ｔ３になっても沸き上げが完了していない場合は、深夜時間帯Ｘの終了時刻ｔ２を限度に沸き上げ完了するまで沸き上げ運転を継続するようにしている（ステップＳ１２）。
【００３９】
このように、沸き上げ運転を完了させる予定の時刻である所定時刻ｔ３を早める朝方モードを設定する朝方モード設定手段を設けたので、早朝に湯を多く消費する使用パターンのユーザーであっても、湯を使用開始する前に沸き上げを完了させることができ、電気料金の高い昼間の沸き増しを不要あるいは抑制することができると共に、リモートコントローラ５の所定操作によって所定時間単位で余裕時間Ｙを変更可能としたことで、ユーザーが簡便に沸き上げ完了させる時刻を設定することができ、ユーザーが望む時刻までに沸き上げを完了させることができ、利便性が向上する。
【００４０】
次に、図４に示す本発明の第２の実施形態について説明する。
ここでこの第２の実施形態は、第１の実施形態の朝方モード設定手段５７を変更したものであり、第１の実施形態と同一のものは同一の符号を付してその説明を省略する。
【００４１】
朝方モード設定手段５７は、設置業者等によるリモートコントローラ５の所定操作によって予め設定入力されている設置地域情報と、図示しない日照センサ等からの日照開始時刻情報と、給水温度センサ１３が検出する給水温度に基づいた給水温度情報と、外気温度センサ３９が検出する外気温度に基づいた外気温度情報と、貯湯制御手段４７のＭＰＵ等のカレンダー機能に基づいた日付情報のいずれか一つまたはいずれか二つ以上の組み合わせの情報に基づいて余裕時間Ｙを決定するもので、日の出と共に活動を行うような家庭（農家など）において、適切な時刻に沸き上げを完了させるべく、日の出時刻を各情報に基づいて推測し、日の出時刻付近を沸き上げ完了させる所定時刻ｔ３にすべく予め各情報に応じた余裕時間Ｙを記憶していると共に、各情報のいずれか一つまたはいずれか二つ以上の組み合わせによって余裕時間Ｙを決定するようにしているものである。
【００４２】
ここで、朝方モード設定手段５７の記憶している余裕時間Ｙと各情報の対応関係の一例を図５に示す。この対応関係においては、経度あるいは緯度の異なる設置地域情報（関東、関西、九州）と、カレンダー機能に基づいた日付情報から余裕時間Ｙを決定している。なお、カレンダー機能に基づいた日付情報のみから余裕時間Ｙを決定するようにしてもよいが、上記のように設置地域情報と組み合わせることでより適切な余裕時間Ｙを決定できるものである。
【００４３】
給水温度や外気温度に基づいて余裕時間Ｙを決定するには、一年間を図５のような４つの区間に区分し、各区間毎に余裕時間Ｙを割り当てて予め記憶しておき、前日の給水温度あるいは外気温度からどの区間に該当するかによって余裕時間Ｙを決定するようにすればよいもので、前記設置地域情報を組み合わせることでより適切な余裕時間Ｙを決定できるものである。
【００４４】
なお、図示しない日照センサ等によれば正確に日照開始時刻情報が得られるため、日の出前に沸き上げ動作を完了させるための余裕時間Ｙの設定ができるため好ましい。また、日照開始時刻情報の入手先としては、日照センサだけでなくヒートポンプ貯湯式給湯装置１がネットワーク機器と接続されるものであればネットワーク経由であってもよく、この場合、設置地域情報と組み合わせることで、設置地域の日照開始時刻情報を入手することが可能となる。
【００４５】
このように、この第２の実施形態では、予め設定入力されている設置地域情報と、日照センサからの日照開始時刻情報と、給水温度に基づいた給水温度情報と、外気温度に基づいた外気温度情報と、カレンダー機能に基づいた日付情報のいずれか一つまたはいずれか二つ以上の組み合わせの情報に基づいて前記余裕時間を決定するため、日の出と共に活動を行うような家庭（農家など）において、適切な時刻に沸き上げを完了させることができ、利便性が向上する。
【００４６】
次に、図６に示す本発明の第３の実施形態について説明する。
ここでこの第３の実施形態は、第１の実施形態の朝方モード設定手段５７を変更したものであり、第１の実施形態と同一のものは同一の符号を付してその説明を省略する。
【００４７】
ここで、貯湯制御手段４７は、沸き上げ動作のたびに、所定時刻ｔ３までに沸き上げ運転を完了することができたか否かを監視しており、複数日分の記憶領域が予め用意され、所定時刻ｔ３までに沸き上げ完了することができなかった場合には沸き上げ未完了情報を記憶し、所定時刻ｔ３までに沸き上げ運転を完了することができた場合には、沸き上げ未完了情報は記憶しないようにしている。
【００４８】
朝方モード設定手段５７は、前回の沸き上げ運転が最後まで完了できなかった旨の情報（沸き上げ未完了情報）を受けると、余裕時間Ｙを一定時間（ここでは１５分間）長くするようにしたもので、所定時刻ｔ３までに沸き上げ完了することができた状況が複数日間連続すると、余裕時間Ｙを一定時間短くするようにしているものである。
【００４９】
このように、沸き上げ完了前の早朝時間帯に給湯されたことなどによって沸き上げが完了しなかったような場合に、翌日には沸き上げを完了させる所定時刻ｔ３が早まり、適切な所定時刻ｔ３を定めることができ、無駄に所定時刻ｔ３を早めすぎることがなく、貯湯タンク３からの放熱ロスも最小限とすることができる。
【００５０】
次に、図７に示す本発明の第４の実施形態について説明する。
ここでこの第４の実施形態は、第１の実施形態の朝方モード設定手段５７を変更したものであり、第１の実施形態と同一のものは同一の符号を付してその説明を省略する。
【００５１】
朝方モード設定手段５７は、前日までの所定期間（ここでは７日間）の深夜時間帯の終了時刻直前の所定時間帯（ここでは午前４時から深夜時間帯の終了時刻ｔ２までの間）の、貯湯タンク３内の湯または熱の使用量（これを特定時間帯使用実績情報とする）に応じて余裕時間Ｙを決定するようにしたもので、沸き上げ完了前の早朝時間帯の給湯量等の使用量が多くなると、これに応じて余裕時間Ｙを長くなるように決定するようにしているので、適切な所定時刻ｔ３を定めることができ、無駄に所定時刻ｔ３を早めすぎることがなく、貯湯タンク３からの放熱ロスも最小限とすることができる。
【００５２】
ここで、これら第２〜第４の実施形態では、リモートコントローラ５の特定操作によって朝方モード設定手段５７を設定／解除することができるようにしており、ユーザーの望みに応じて容易に設定／解除が可能としている。
【００５３】
なお、本発明は上記の各実施形態に限定されるものではなく、発明の要旨を変更しない範囲で改変可能なものである。
【符号の説明】
【００５４】
３  貯湯タンク
４  ヒートポンプユニット（加熱手段）
５  リモートコントローラ
６  給水管
１０  給湯管
５７  朝方モード設定手段
５８  ピークシフト演算手段
【図１】
2015102259.tif 000003
【図２】
2015102259.tif 000004
【図３】
2015102259.tif 000005
【図４】
2015102259.tif 000006
【図５】
2015102259.tif 000007
【図６】
2015102259.tif 000008
【図７】
2015102259.tif 000009